(57)【要約】【課題】傘に取り付け可能であって、安全性も確保しつつ、開いた状態で地面に置いた傘を風に飛ばされにくくする傘ストッパを提供すること。【解決手段】傘ストッパ１０は、傘１の露先２、または、傘布の下端部に取り付ける取付部１１と、取付部１１の底面の外周から外向きに延びる脚片部１２と、を備え、脚片部１２が下になるように傘１を地面に置いた際に、脚片部１２が地面と接地する。脚片部１２の接地面は、地面との摩擦係数が大きい材質で形成され、および／また凹凸が形成されている。【選択図】図１
2018050686.tif 000002
【特許請求の範囲】
【請求項１】
傘の露先、または、傘布の下端部に取り付ける取付部と、
前記取付部の底面の外周から外向きに延びる脚片部と、
を備え、
前記脚片部が下になるように前記傘を地面に置いた際に、前記脚片部が当該地面と接地することを特徴とする傘ストッパ。
【請求項２】
前記脚片部の前記地面と接地する接地面が、当該地面との摩擦係数が大きい材質で形成されていることを特徴とする請求項１に記載の傘ストッパ。
【請求項３】
前記脚片部の前記地面と接地する接地面に、凹凸が形成されていることを特徴とする請求項１または請求項２に記載の傘ストッパ。
【請求項４】
前記脚片部が、貫通穴を有することを特徴とする請求項１から請求項３のいずれかに記載の傘ストッパ。
【請求項５】
前記脚片部が、当該脚片部の接地面に畳み込み可能な爪部を有することを特徴とする請求項１から請求項４のいずれかに記載の傘ストッパ。
【請求項６】
前記脚片部が、前記取付部を覆うように前記傘ストッパの垂直方向上方向に、または前記傘ストッパの垂直軸に沿うように当該傘ストッパの垂直方向下方向に、折り曲げ可能であることを特徴とする請求項１から請求項５のいずれかに記載の傘ストッパ。
【請求項７】
傘に取り付ける取付部と、
中心部から外向きに延びる脚片部と、
前記取付部と前記脚片部との接続に用いられ、紐状の接続部と、
を備え、
前記脚片部が下になるように前記傘を地面に置いた際に、前記脚片部が当該地面と接地することを特徴とする傘ストッパ。
【請求項８】
前記脚片部の前記地面と接地する接地面が、当該地面との摩擦係数が大きい材質で形成されていることを特徴とする請求項７に記載の傘ストッパ。
【請求項９】
前記脚片部の前記地面と接地する接地面に、凹凸が形成されていることを特徴とする請求項７または請求項８に記載の傘ストッパ。
【請求項１０】
前記脚片部が、貫通穴を有することを特徴とする請求項７から請求項９のいずれかに記載の傘ストッパ。
【請求項１１】
前記脚片部が、当該脚片部の接地面に畳み込み可能な爪部を有することを特徴とする請求項７から請求項１０のいずれかに記載の傘ストッパ。
【請求項１２】
前記脚片部が、前記傘ストッパの垂直軸に沿うように、前記傘ストッパの垂直方向上方向、または当該傘ストッパの垂直方向下方向に、折り曲げ可能であることを特徴とする請求項７から請求項１１のいずれかに記載の傘ストッパ。
【請求項１３】
前記接続部が、長さ調節が可能なことを特徴とする請求項７から請求項１２のいずれかに記載の傘ストッパ。
【請求項１４】
前記取付部および前記脚片部が磁石を備え、当該磁石によって当該脚片部と当該取付部とが付着することを特徴とする請求項７から請求項１３のいずれかに記載の傘ストッパ。
【発明の詳細な説明】
【技術分野】
【０００１】
本発明は、傘に取り付けて、開いた状態で地面に置いた傘を風に飛ばされにくくする傘ストッパに関するものである。
【背景技術】
【０００２】
雨天でのゴルフの際に、自身のプレー時に傘は邪魔にならない位置に広げたまま地面に置くことが多い。しかし、傘が風で飛ばれてしまうこともあり、プレーに集中できなかったり、傘がボールやプレーヤに向かってきてプレーが邪魔されたりすることがあった。
【０００３】
そこで、傘のハンドルに、回動して離間することでグリーンに突き刺し可能となる突き刺し部材を備え、広げて置いた傘が風に飛ばされないようにした傘が提案されている（特許文献１参照）。また、互いに隣合う３本の傘骨の真ん中１本の傘骨を他の２本の傘骨よりも短くすることで、広い間隔で傘骨の露先を地面に接地させ安定性を増すとともに、傘のハンドルに地面に差し込む係止を備えることで、広げて置いた傘が風に飛ばされないようにした傘も提案されている（特許文献２参照）。
【先行技術文献】
【特許文献】
【０００４】
【特許文献１】実開平０５−０１３２１８号公報
【特許文献２】実開平０３−１１８０１３号公報
【発明の概要】
【発明が解決しようとする課題】
【０００５】
しかしながら、特許文献１，２のいずれも風に飛ばされにくくするための手段が傘自体に備えられているため、傘自体を新たに購入しなければならず、従来の傘を風に飛びにくくすることはできないという問題点があった。また、特許文献１，２のいずれも地面に突き刺す部分を備えているために、傘が風に飛ばされた際に、地面に突き刺す部分がプレーヤに向かってくる危険があり、安全性に問題があった。
【０００６】
そこで、本発明は、上記課題に鑑み、傘に取り付け可能であって、安全性も確保しつつ、開いた状態で地面に置いた傘を風に飛ばされにくくする傘ストッパを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
本発明の一態様は、傘の露先、または、傘布の下端部に取り付ける取付部（１１）と、前記取付部（１１）の底面の外周から外向きに延びる脚片部（１２）と、を備え、前記脚片部（１２）が下になるように前記傘を地面に置いた際に、前記脚片部（１２）が当該地面と接地することを特徴とする傘ストッパ（１０）を提案している。
【０００９】
この発明によれば、傘ストッパは、取付部によって、傘の露先または傘布の下端部に取り付け可能であって、脚片部が地面と接地することで生じる摩擦力によって地面に固定される。その結果、傘ストッパが取り付けられた傘を、安全性も確保しつつ、開いた状態で地面に置いても風に飛ばされにくくすることができる。
【００１０】
本発明の一態様は、前記脚片部（１２）の前記地面と接地する接地面が、当該地面との摩擦係数が大きい材質で形成されていることを特徴とする。
【００１１】
この発明によれば、脚片部が地面と接地することで生じる摩擦力を大きくすることができ、傘ストッパが取り付けられた傘を、安全性も確保しつつ、開いた状態で地面に置いても風に飛ばされにくくすることができる。
【００１２】
本発明の一態様は、前記脚片部（１２）の前記地面と接地する接地面に、凹凸が形成されていることを特徴とする。
【００１３】
この発明によれば、脚片部が地面と接地することで生じる摩擦力を凹凸によって大きくすることができ、傘ストッパが取り付けられた傘を、安全性も確保しつつ、開いた状態で地面に置いても風に飛ばされにくくすることができる。
【００１４】
本発明の一態様は、前記脚片部（１２）が、貫通孔（１４）を有することを特徴とする。
【００１５】
この発明によれば、貫通孔に棒状のものを差込み、脚片部と地面とを接続することで、より強固に傘ストッパを地面に固定し、傘ストッパが取り付けられた傘を、開いた状態で地面に置いてもより風に飛ばされにくくすることができる。
【００１６】
本発明の一態様は、前記脚片部（１２）が、当該脚片部（１２）の前記接地面に畳み込み可能な爪部を有することを特徴とする。
【００１７】
この発明によれば、爪部を地面に食い込ませることで、より強固に傘ストッパを地面に固定し、傘ストッパが取り付けられた傘を、開いた状態で地面に置いてもより風に飛ばされにくくすることができる。また、不使用時には、爪部は畳み込み可能であるので安全性も確保することができる。
【００１８】
本発明の一態様は、前記脚片部（１２）が、前記取付部（１１）を覆うように前記傘ストッパ（１０）の垂直方向上方向（Ｕ１）に、または前記傘ストッパの垂直軸に沿うように当該傘ストッパの垂直方向下方向（Ｄ１）に、折り曲げ可能であることを特徴とする。
【００１９】
この発明によれば、不使用時に、脚片部を折り曲げて取付部からの突出をなくし、傘ストッパが邪魔にならないようにすることができる。
【００２０】
本発明の一態様は、傘に取り付ける取付部（２１）と、中心部から外向きに延びる脚片部（２２）と、前記取付部（２１）と前記脚片部（２２）との接続に用いられ、紐状の接続部（２３）と、を備え、前記脚片部（２２）が下になるように前記傘を地面に置いた際に、前記脚片部（２２）が当該地面と接地することを特徴とする傘ストッパ（２０）を提案している。
【００２１】
この発明によれば、傘ストッパは、取付部によって傘のいずれかの位置に取り付け可能であって、脚片部が地面と接地することで生じる摩擦力によって地面に固定される。その結果、傘ストッパが取り付けられた傘を、安全性も確保しつつ、開いた状態で地面に置いても風に飛ばされにくくすることができる。
【００２２】
本発明の一態様は、前記脚片部（２２）の前記地面と接地する接地面が、当該地面との摩擦係数が大きい材質で形成されていることを特徴とする。
【００２３】
この発明によれば、脚片部が地面と接地することで生じる摩擦力を大きくすることができ、傘ストッパが取り付けられた傘を、安全性も確保しつつ、開いた状態で地面に置いても風に飛ばされにくくすることができる。
【００２４】
本発明の一態様は、前記脚片部（２２）の前記地面と接地する接地面に、凹凸が形成されていることを特徴とする。
【００２５】
この発明によれば、脚片部が地面と接地することで生じる摩擦力を凹凸によって大きくすることができ、傘ストッパが取り付けられた傘を、安全性も確保しつつ、開いた状態で地面に置いても風に飛ばされにくくすることができる。
【００２６】
本発明の一態様は、前記脚片部（２２）が、貫通穴を有することを特徴とする。
【００２７】
この発明によれば、貫通孔に棒状のものを差込み、脚片部と地面とを接続することで、より強固に傘ストッパを地面に固定し、傘ストッパが取り付けられた傘を、開いた状態で地面に置いてもより風に飛ばされにくくすることができる。
【００２８】
本発明の一態様は、前記脚片部（２２）が、当該脚片部（２２）の前記接地面に畳み込み可能な爪部を有することを特徴とする。
【００２９】
この発明によれば、爪部を地面に食い込ませることで、より強固に傘ストッパを地面に固定し、傘ストッパが取り付けられた傘を、開いた状態で地面に置いてもより風に飛ばされにくくすることができる。また、不使用時には、爪部は畳み込み可能であるので安全性も確保することができる。
【００３０】
本発明の一態様は、前記脚片部（２２）が、前記傘ストッパ（２０）の垂直軸に沿うように、前記傘ストッパ（２０）の垂直方向上方向、または当該傘ストッパ（２０）の垂直方向下方向に、折り曲げ可能であることを特徴とする。
【００３１】
この発明によれば、不使用時に、脚片部を折り曲げて小さくし、傘ストッパが邪魔にならないようにすることができる。
【００３２】
本発明の一態様は、前記接続部（２３）が、長さ調節が可能なことを特徴とする。
【００３３】
この発明によれば、接続部が長さ調節可能なことにより、傘ストッパは傘のいずれの位置にも取り付けることができ、また、開いた状態で地面に置いた傘が風に煽られても接続部の長さが変化することで、傘が遠くに飛ばされることを防ぐことができる。
【００３４】
本発明の一態様は、前記取付部（２１）および前記脚片部（２２）が磁石を備え、当該磁石によって当該脚片部（２２）と当該取付部（２１）とが付着することを特徴とする。
【００３５】
この発明によれば、取付部と脚片部とを磁石で付着することができ、傘に取り付けられた傘ストッパが不使用時に邪魔にならないようにすることができる。
【発明の効果】
【００３６】
本発明によれば、傘に取り付け可能であって、安全性も確保しつつ、開いた状態で地面に置いた傘を風に飛ばされにくくすることができる。
【図面の簡単な説明】
【００３７】
【図１】本発明の第１の実施形態に係る傘ストッパの使用状態を表す使用図を示す。
【図２】本発明の第１の実施形態に係る傘ストッパの斜視図を示す。
【図３】本発明の第１の実施形態に係る傘ストッパの変形例の斜視図を示す。
【図４】本発明の第１の実施形態に係る傘ストッパの不使用状態の斜視図を示す。
【図５】本発明の第１の実施形態に係る傘ストッパの不使用状態の斜視図を示す。
【図６】本発明の第２の実施形態に係る傘ストッパの使用状態を表す使用図を示す。
【図７】本発明の第２の実施形態に係る傘ストッパの斜視図を示す。
【発明を実施するための形態】
【００３８】
以下、図面を用いて、本発明の実施形態について詳細に説明する。本実施形態において、同一部材や形状であっても位置等が異なることで区別する場合には符号に英字を付し、区別しない場合には符号のみで表す。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３９】
＜第１の実施形態＞
図１から図５を用いて、本発明の第１の実施形態に係る傘ストッパ１０について説明する。
【００４０】
図１は、本発明の第１の実施形態に係る傘ストッパ１０の使用状態を表す使用図を示す。図１に示すように、本実施形態において傘ストッパ１０は、傘１の露先２に取り付けられる。傘１を広げたまま地面に置く際には、傘ストッパ１０を下にし、傘ストッパ１０と地面が接するように置く。本図では、１つの露先２のみに傘ストッパ１０を取り付けているが、地面と接地する露先全てに傘ストッパ１０を取り付けてもよい。
【００４１】
傘ストッパ１０は、軽いおよび／または軟質素材、例えば、ゴム、樹脂素材、木等で形成される。傘ストッパ１０が、軽いおよび／または軟質素材で形成されることにより、傘ストッパ１０を取り付けた傘が風で飛ばされて人に向かってきても、傘ストッパ１０によって、人が怪我をすることなく、安全性を確保することができる。傘ストッパ１０の大きさは、任意であるが、望ましくは、ゴルフマーカやゴルフボール程度のサイズが望ましい。また、傘ストッパ１０は、任意の形状、色とすることができ、傘の装飾品としての役割を果たすことも可能である。
【００４２】
図２は、本発明の第１の実施形態に係る傘ストッパ１０の斜視図を示す。図１および図２に示すように、傘ストッパ１０は、取付部１１および脚片部１２を備える。
【００４３】
取付部１１は、傘ストッパ１０を傘１に取り付ける部分であって、本実施形態においては、挿入孔１３を上部に備え、挿入孔１３に露先２を差し込むことで、図１の示すように傘ストッパ１０を傘１に取り付けることができる。挿入孔１３の形状は任意であるが、露先２が抜けないように、入口部分から遠くなるにしたがって開口幅が狭まる先細り形状であってもよいし、露先２を挟みこむ突起を内部に設けてもよい。また、挿入孔１３は、様々な大きさや形状の露先２を差し込むことができ、かつ抜けにくくするために、ゴムやシリコン素材といった弾性を有する素材で形成されるのが望ましい。
【００４４】
取付部１１は、図１および図２において、球状であるが、球状に限らず、多面体、動物の顔型、キャラクターの顔型、食べ物型等任意の形状でよく、また、露先２より大きければ任意の大きさでよい。
【００４５】
脚片部１２は、取付部１１を中心として、取付部１１の底面の外周から外向きに放射状に複数枚形成され、取付部１１と一体形成されている。各脚片部１２は、長く延びており、その先端は丸みを帯びている。これは、傘ストッパ１０を取り付けた傘が風で飛ばされて人に向かってきても、傘ストッパ１０によって、人が怪我をすることなく、安全性を確保するためである。図２において、脚片部１２は７枚であるが、少なくとも２枚以上あればよい。また、図では、脚片部１２それぞれは同一形状でないが、同一形状であってもよい。なお、脚片部１２の枚数が少ないほど、各脚片部１２の幅は広いのが望ましい。
【００４６】
脚片部１２の底面は、傘ストッパ１０が傘１に取り付けられて、傘１が地面に置かれた際に、地面と接する。脚片部１２の底面は、地面との摩擦係数が大きい素材で形成された平らな面であってもよいし、平らな面に地面と摩擦を生じる構造が形成されていてもよい。脚片部１２の底面は、平らな面に地面と摩擦を生じる構造が形成されている場合にも、地面との摩擦係数が大きい素材で形成されてもよい。地面と摩擦を生じる構造としては、１以上の凸部を有する凹凸構造があり、例えば、波型や渦巻き型の１以上の凸部や点状の複数の凸部を有する凹凸構造である。また、地面との摩擦係数が大きい素材には、例えば、ゴムがある。なお、脚片部１２を人が踏みつけることにより、脚片部１２は地面とよりしっかりと接地し、摩擦力が高まり傘を飛びにくくすることができる。
【００４７】
このような脚片部１２の底面の構造により、脚片部１２の底面と地面とが摩擦を起こして、傘ストッパ１０が取り付けられた傘１が摩擦力により飛びにくくすることができる。また、このような脚片部１２の底面の構造において、土やコンクリートといった地面よりも芝生といった草が生えている地面の方がより摩擦力を生じやすく、傘を飛びにくくする効果も高まる。そのため、傘ストッパ１０は、ゴルフ場での使用される傘に取り付けるとより高い効果を発することができる。
【００４８】
また、脚片部１２の底面に、少なくとも１つの爪部を設けてもよい。爪部は、不使用時には、底面に畳み込まれており、使用時に人によって起こされる。脚片部１２が接地すると、爪部は地面に食い込み、より強固に傘ストッパ１０を地面に固定して、傘ストッパ１０が取り付けられた傘１を飛びにくくする。ただし、爪部は、安全性を確保するために、長すぎないのが望ましく、特に１ｃｍ以下であるのが望ましい。
【００４９】
図３は、本発明の第１の実施形態に係る傘ストッパ１０の変形例の斜視図を示す。図３に示すように、脚片部１２は貫通孔１４を備える。貫通孔１４は、１つの脚片部１２に備えられてもよいし、複数の脚片部１２に備えられてもよいが、２つくらいが望ましい。貫通孔１４には、ゴルフティー３０が差し込まれ、それらによって、傘ストッパ１０を地面により強固に固定することができる。なお、ゴルフティー３０の代わりに、ペン、木の枝といった棒状のものを用いてもよいが、なるべく片方の端が他方の端よりも広がっているものが望ましい。貫通孔１４は、様々は太さのゴルフティー３０に対応し、かつ抜けにくくするために、少なくとも孔の周りはゴムといった伸縮可能な素材で形成されるのが望ましく、また、内側にひだを設けるのも望ましい。
【００５０】
図４および図５は、本発明の第１の実施形態に係る傘ストッパ１０の不使用状態の斜視図を示す。図４に示すように、脚片部１２は、取付部１１を覆うように傘ストッパ１０の垂直方向上Ｕ１に折り曲げ可能であってもよい。このとき、脚片部１２が取付部１１に張り付くように、取付部１１および脚片部１２が磁石を備えてもよい。このようにすることで、不使用時に、取付部１１より横に突出している脚片部１２を邪魔にならないようにすることができる。使用時には、図４の形から図２の形に、脚片部１２を手動で変形させてもよいし、傘１を地面へと投げた際に働く重力によって脚片部１２が自動的に変形できてもよい。なお、図２の形から図４の形へは手動で戻す。
【００５１】
また、図５に示すように、脚片部１２は、傘ストッパ１０の垂直軸下Ｄ１に沿うように折り曲げ可能であってもよい。このとき、脚片部１２同士が張り付くように、脚片部１２が磁石を備えてもよい。このようにすることでも、不使用時に、取付部１１より横に突出している脚片部１２を邪魔にならないようにすることができる。図５の形から図２の形に、脚片部１２を手動で変形させてもよいし、傘１を地面へと投げた際の空気抵抗によって脚片部１２が自動的に変形できてもよい。なお、図２の形から図５の形へは手動で戻してもよいし、脚片部１２が地面から離れると自然に図５の状態になるようになっていてもよい。
【００５２】
以上、説明したように、本実施形態によれば、傘ストッパ１０は、傘１の露先２に取り付けられて脚片部１２が地面と接するように置かれた際に、脚片部１２の底面と地面との摩擦を生じることで、安全性を確保しつつ、傘ストッパ１０を取り付けた傘を開いた状態で地面に置いても風に飛ばされにくくすることができる。また、傘ストッパ１０は、軽いおよび／または軟質素材で形成され、また、脚片部１２の先端が丸みを帯び、更に、脚片部１２の底面に爪部を設けたとしてもその長さは短く、軽いおよび／または軟質素材であるために、傘ストッパ１０を取り付けた傘が風で飛ばされて人に向かってきても、傘ストッパによって、人が怪我をすることなく、安全性を確保することができる。
【００５３】
本実施形態では、傘ストッパ１０は露先２に取り付けているが、傘布の下端部に取り付けてもよい。傘ストッパを傘布の下端部に取り付けた場合も、傘ストッパの脚片部は地面と接地する。この場合には、取付部はその間に傘布を挟み込むクリップ形状等である。
【００５４】
また、本実施形態では、脚片部１２は複数枚であったが、取付部１１の底面外周から外向きに広がる一枚の任意の面形状であってもよい。
【００５５】
＜第２の実施形態＞
図６および図７を用いて、本発明の第２の実施形態に係る傘ストッパ２０について説明する。
【００５６】
図６は、本発明の第２の実施形態に係る傘ストッパ２０の使用状態を表す使用図を示す。図６に示すように、本実施形態において傘ストッパ２０は傘布の下端部３に取り付けられる。傘１を広げたまま地面に置く際には、傘ストッパ２０を下にし、傘ストッパ２０と地面が接するように置く。本図では、１つの傘布の下端部３のみに傘ストッパ２０を取り付けているが、他の傘布の下端部３に取り付けてもよいし、また、傘ストッパ２０を複数取り付けてもよい。
【００５７】
傘ストッパ２０は、第１の実施形態と同様に、軽いおよび／または軟質素材、例えば、ゴム、樹脂素材、木等で形成される。傘ストッパ２０が、軽いおよび／または軟質素材で形成されることにより、傘ストッパ２０を取り付けた傘が風で飛ばされて人に向かってきても、傘ストッパ２０によって、人が怪我をすることなく、安全性を確保することができる。傘ストッパ２０の大きさは、任意であるが、望ましくは、ゴルフマーカやゴルフボール程度のサイズが望ましい。また、傘ストッパ２０は、任意の形状や色とすることができ、傘の装飾品としての役割を果たすことも可能である。
【００５８】
図７は、本発明の第２の実施形態に係る傘ストッパ２０の斜視図を示す。図６および図７に示すように、傘ストッパ２０は、取付部２１、脚片部２２、および接続部２３を備える。
【００５９】
取付部２１は、傘ストッパ２０を傘１に取り付ける部分であって、本実施形態においては、傘布の下端部３を挟み込むクリップ形状であって、図６に示すように傘ストッパ２０を傘に取り付けることができる。取付部２１は、傘ストッパ２０を傘１の下端部３、傘骨、柄に取り付けられればよく、クリップ形状に限らず、下端部３に取り付けられる場合には、傘布を貫通するピンとピンの受け具からなるものであってもよい。取付部２１は、第１の実施形態と同様に、多面体、動物の顔型、キャラクターの顔型、食べ物型等任意の形状でよく、また、任意の大きさでよい。
【００６０】
脚片部２２は、中心部２４を有し、中心部２４から外向きに放射状に複数枚形成される。各脚片部２２は、長く延びており、その先端は丸みを帯びている。これは、傘ストッパ２０を取り付けた傘１が風で飛ばされて人に向かってきても、傘ストッパ２０によって、人が怪我をすることなく、安全性を確保するためである。図２において、脚片部２２は５枚であるが、少なくとも２枚以上あればよい。また、図では、脚片部２２それぞれは同一形状であるが、同一形状でなくてもよい。なお、脚片部２２の枚数が少ないほど、各脚片部２２の幅は広いのが望ましい。
【００６１】
脚片部１２の表面または底面は、傘ストッパ２０が傘１に取り付けられて、傘１が地面に置かれた際に、地面と接する。ここでは、接続部２３との接続部分が上になっている際に上になっている面を表面、下になっている面を底面という。本実施形態において、脚片部２２の表面および底面の両方が接地面となり、それは、傘ストッパ２０が取り付けられた傘１が地面に投げ置かれた際に、脚片部２２の表面が下になる場合もあり、底面が下になる場合もあるからである。
【００６２】
脚片部２２の表面および底面は、地面との摩擦係数が大きい素材で形成された平らな面であってもよいし、平らな面に地面と摩擦を生じる構造が形成されていてもよい。脚片部２２の表面および底面は、平らな面に地面と摩擦を生じる構造が形成されている場合にも、地面との摩擦係数が大きい素材で形成されてもよい。地面と摩擦を生じる構造としては、１以上の凸部を有する構造があり、例えば、波型や渦巻き型の１以上の凸部や点状の複数の凸部を有する構造である。また、地面との摩擦係数が大きい素材には、例えば、ゴムがある。なお、脚片部２２を人が踏みつけることにより、脚片部２２は地面とよりしっかりと接地し、摩擦力が高まり傘を飛びにくくすることができる。
【００６３】
このような脚片部２２の底面の構造により、脚片部２２の表面または底面と地面とが摩擦を起こして、摩擦力により傘を飛びにくくすることができる。また、このような脚片部２２の表面または底面の構造において、土やコンクリートといった地面よりも芝生といった草が生えている地面の方がより摩擦力を生じやすく、傘を飛びにくくする効果も高まる。そのため、傘ストッパ２０は、ゴルフ場での使用される傘に取り付けるとより高い効果を発することができる。
【００６４】
また、脚片部２２の表面および底面それぞれに、少なくとも１つの爪部を設けてもよい。爪部は、不使用時には、底面および表面にそれぞれ畳み込まれており、使用時に人によって起こされる。脚片部２２が接地すると、爪部は地面に食い込み、より強固に傘ストッパ２０を地面に固定して傘１を飛びにくくする。ただし、爪部は、安全性を確保するために、長すぎないのが望ましく、特に１ｃｍ以下であるのが望ましい。
【００６５】
脚片部２２は、第１の実施形態と同様に、少なくとも１つの貫通孔１４を備えてもよい。また、本実施形態においても、第１の実施形態と同様に、脚片部２２は、傘ストッパ２０の垂直軸、脚片部２２と垂直な方向に沿うように、傘ストッパ２０の垂直方向上Ｕ１に折り曲げ可能や、傘ストッパ２０の垂直軸下Ｄ１に沿うように折り曲げ可能であってもよい。このとき、脚片部２２同士が張り付くように、脚片部２２が磁石を備えてもよい。このようにすることで、不使用時に、横に突出している脚片部２２を小さく邪魔にならないようにすることができる。脚片部２２の折り曲げによる変形の仕方については、第１の実施形態と同様である。更に、脚片部２２は、不使用時には、取付部２１に張り付くように、取付部２１および脚片部２２が磁石を備えてもよい。このようにすることでも、不使用時に、脚片部２２が邪魔にならないようにすることができる。
【００６６】
中心部２４には、接続部２３を取り付ける接続金具が備えられている。なお、接続金具は必ずしも中心部２４に備えられなくてもよく、脚片部２２の表面、底面、または側面に備えられてもよい。また、脚片部２２と接続部２３と接続も接続金具に限らず、中心部２４と接続部２３とを接続できる任意の従来技術を用いることができる。本実施形態において、中心部２４は脚片部２２から独立しているが、脚片部２２の一部であってもよい。
【００６７】
接続部２３は、取付部２１と脚片部２２と接続し、紐状部材で形成される。接続部２３と取付部２１との接続には、接続部２３と脚片部２２とのと同様に、任意の従来技術を用いることができ、また取付部２１の任意の位置にと接続されればよい。接続部２３は、伸縮可能な素材であるのが望ましい。開いた状態で地面に置いた傘１が風に煽られても接続部２３が伸びることで、傘が遠くに飛ばされることを防ぐことができるためである。また、接続部２３は長さ調節可能であって、それにより、傘１の柄や傘骨といった様々な位置に傘ストッパ２０を取り付けても、傘１を地面に置いた際に脚片部２２が地面に接地するようにすることができる。接続部２３が長さ調節可能であることによっても、傘が遠くに飛ばされることを防ぐことができる。
【００６８】
以上、説明したように、本実施形態によれば、傘ストッパ２０は、傘１の任意の位置に取り付けられて脚片部２２が地面と接するように置かれた際に、脚片部２２の表面または底面と地面との摩擦を生じることで、安全性を確保しつつ、傘ストッパ２０を取り付けた傘を開いた状態で地面に置いても風に飛ばされにくくすることができる。また、傘ストッパ２０は、軽いおよび／または軟質素材で形成され、また、脚片部２２の先端が丸みを帯び、更に、脚片部２２の表面または底面に爪部を設けたとしてもその長さは短く、軽いおよび／または軟質素材であるために、傘ストッパ２０を取り付けた傘が風で飛ばされて人に向かってきても、傘ストッパ２０によって、人が怪我をすることなく、安全性を確保することができる。更に、傘ストッパ２０は、取付部２１と脚片部２２とが接続部２３で接続され、接続部２３の長さ調節が可能なことにより、傘１の任意の位置に取り付けることが可能である。
【００６９】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７０】
１            傘
２            露先
３            下端部
１０，２０    傘ストッパ
１１，２１    取付部
１２，２２    脚片部
２３          接続部
２４          中心部
【図１】
2018050686.tif 000003
【図２】
2018050686.tif 000004
【図３】
2018050686.tif 000005
【図４】
2018050686.tif 000006
【図５】
2018050686.tif 000007
【図６】
2018050686.tif 000008
【図７】
2018050686.tif 000009